(57)【要約】【課題】  畝が変形している場合でも保護フィルムを安定的な品質で貼り付けることができるようにする。【解決手段】  本発明の保護フィルム貼付機１は、畝ＵのマルチフィルムＳ上に生長する苗Ｎを畝幅方向における所定位置Ｐに寄せる位置寄せ部２と、左右両側辺に接着面Ｔａを備えた保護フィルムＴを畝Ｕに対して繰り出す繰出部３と、位置寄せ部２の後方で、苗Ｎを覆うように該保護フィルムＴをマルチフィルムＳ上に貼り付ける貼付部４とが、走行車輪７により畝長さ方向へ走行自在に支持された機体６に装備している。そして、位置寄せ部２及び貼付部４は、それぞれ機体６に対して略上下移動自在に支持されている。【選択図】      図１
2007089559.tif 000002
【特許請求の範囲】
【請求項１】
畝のマルチフィルム上に生長する苗を畝幅方向における所定位置に寄せる位置寄せ部と、
左右両側辺に接着面を備えた保護フィルムを畝に対して繰り出す繰出部と、
前記位置寄せ部の後方で、前記苗を覆うように該保護フィルムを前記マルチフィルム上に貼り付ける貼付部とが、走行手段により畝長さ方向へ走行自在に支持された機体に装備された保護フィルム貼付機であって、
前記位置寄せ部及び前記貼付部は、それぞれ前記機体に対して略上下移動自在に支持された保護フィルム貼付機。
【請求項２】
前記位置寄せ部は、前記所定位置の左右に位置するようにそれぞれ配設されており、
該両位置寄せ部は、前記機体に対して互いに独立に略上下移動自在に支持された請求項１記載の保護フィルム貼付機。
【請求項３】
前記貼付部は、前記所定位置の左右に位置するようにそれぞれ配設されており、
該両貼付部は、前記機体に対して左右に揺動自在に支持された請求項１又は２記載の保護フィルム貼付機。
【請求項４】
前記位置寄せ部は、前記機体に対して略上下移動自在に支持されるとともに、畝上面側を転動する畝上面ガイドローラを介して畝上の所定高さに支持されるように構成された請求項１〜３のいずれか一項に記載の保護フィルム貼付機。
【請求項５】
前記位置寄せ部は、前記機体に対して略上下移動自在に支持されるとともに、該位置寄せ部の近傍における畝側面側を転動する畝側面ガイドローラを介して畝幅方向へガイドされるように構成された請求項１〜４のいずれか一項に記載の保護フィルム貼付機。
【請求項６】
前記貼付部は、該貼付部の近傍における畝側面側を転動する畝側面ガイドローラを介して畝幅方向へガイドされるように構成された請求項１〜５のいずれか一項に記載の保護フィルム貼付機。
【請求項７】
前記位置寄せ部又は／及び前記貼付部は、該機体上方へ退避した退避位置へ移動可能に構成された請求項１〜６のいずれか一項に記載の保護フィルム貼付機。
【請求項８】
前記位置寄せ部及び前記貼付部は、該機体上方へ退避した退避位置へ連動して移動可能に構成された請求項１〜６のいずれか一項に記載の保護フィルム貼付機。
【発明の詳細な説明】
【技術分野】
【０００１】
本発明は、マルチ栽培される苗を保護するための保護フィルムをマルチフィルム上に貼り付けるための保護フィルム貼付機に関するものである。
【背景技術】
【０００２】
従来の保護フィルム貼付機として、特許文献１記載のマルチ栽培苗の保護フィルム貼付け機を例示する。この保護フィルム貼付け機は、図６及び図７に示すように、両側辺に接着面８２ａを備えた苗保護フィルム８２を原反ロール８３から繰り出して、畝のマルチフィルム上に貼付けてゆくものである。そして、原反ロール８３を横架支持するロール支持台８４と、マルチフィルムが被覆された畝上を転動する４つのフィルム押付けローラ８７と、原反ロール８３から繰り出された全幅伸展状態の保護フィルム８２をＶ字状に案内する一対の傾斜ガイド８８と、保護フィルム８２の中央に作用して保護フィルム８２を下方に垂ませる押下げガイド８９と、折り曲げによって幅が縮少された保護フィルム８２を偏平状に折り重ねてフィルム押付けローラ８７の下方に案内する折り重ねガイド９２とを走行機枠９３に装備してある。
【０００３】
そして、保護フィルム８２は皺のない全幅伸展状態で原反ロールから繰り出され、左右一対の傾斜ガイド８８と押し下げガイド８９とによってＶ字形に幅寄せされた後、横長の折り重ねガイド９２に導かれて扁平状に折り重ねられ、所定の幅に狭められた状態で左右のフィルム押付けローラ８７の下方に案内されてマルチフィルム上に貼付けられてゆくようになっている。
【０００４】
【特許文献１】特開平８−１５４５０４号公報
【発明の開示】
【発明が解決しようとする課題】
【０００５】
ところが、走行機枠９３に４つのフィルム押し付けローラ８７が直接的に支持されているため、畝が変形している場合に、その変形形状にフィルム押し付けローラ８７が追従できず、保護フィルム８２の押さえ具合にバラツキがでることがあるという課題がある。
【０００６】
また、いもの苗のように、畝表面に沿って広範囲に生長する場合、そのまま保護フィルム８２を貼ったのでは該保護フィルム８２の側辺から苗がはみ出てしまう。このため、苗を保護フィルム８２を貼り付ける範囲内に集めてから貼る必要があり、手間が掛かるという課題がある。
【課題を解決するための手段】
【０００７】
上記課題を解決するために、本発明の保護フィルム貼付機は、
畝のマルチフィルム上に生長する苗を畝幅方向における所定位置に寄せる位置寄せ部と、
左右両側辺に接着面を備えた保護フィルムを畝に対して繰り出す繰出部と、
前記位置寄せ部の後方で、前記苗を覆うように該保護フィルムを前記マルチフィルム上に貼り付ける貼付部とが、走行手段により畝長さ方向へ走行自在に支持された機体に装備された保護フィルム貼付機であって、
前記位置寄せ部及び前記貼付部は、それぞれ前記機体に対して略上下移動自在に支持されている。
【０００８】
この構成によれば、畝が変形していても、前記位置寄せ部及び前記貼付部が略上下移動し、該変動を吸収するようになっている。このように、畝上面における前記苗及び前記保護フィルムに対しそれぞれ前記位置寄せ部及び前記貼付部がそれぞれの機能を安定的に発揮することができる。
【０００９】
前記位置寄せ部は、前記所定位置の左右に位置するようにそれぞれ配設されており、
該両位置寄せ部は、前記機体に対して互いに独立に略上下移動自在に支持された態様を例示する。
【００１０】
この構成によれば、畝上面における左右両側の相対高さが変動しても、前記両位置寄せ部が互いに独立に略上下移動し、該変動を吸収するようになっている。このため、畝上面における前記苗に対し前記両位置寄せ部がそれぞれの機能を安定的に発揮するようになっている。
【００１１】
前記貼付部は、前記所定位置の左右に位置するようにそれぞれ配設されており、
該両貼付部は、前記機体に対して左右に揺動自在に支持された態様を例示する。
【００１２】
この構成によれば、前記機体に対する畝上面の傾きが変動しても、前記両貼付部が適宜左右に揺動し、該変動を吸収するようになっている。このため、畝上面における前記保護フィルムに対し前記両貼付部がそれぞれの機能を安定的に発揮するようになっている。
【００１３】
前記位置寄せ部は、前記機体に対して略上下移動自在に支持されるとともに、畝上面側を転動する畝ガイドローラを介して畝上の所定高さに支持されるように構成された態様を例示する。
【００１４】
この構成によれば、前記ブラシは前記畝上面ガイドローラにより畝上の前記所定高さに支持されているので、前記苗に過大な力が掛かることを防止し、該苗を傷めることを防止できる。
【００１５】
前記位置寄せ部は、前記機体に対して略上下移動自在に支持されるとともに、該位置寄せ部の近傍における畝側面側を転動する畝側面ガイドローラを介して畝幅方向へガイドされるように構成された態様を例示する。
【００１６】
この構成によれば、前記位置寄せ部は前記畝側面ガイドローラにより畝幅方向へガイドされているので、畝曲がり等の畝幅方向への畝の変形に追従するようになっている。また、該位置寄せ部を介して前記機体の進行方向も畝幅方向への畝の変形に追従するようになっている。
【００１７】
前記貼付部は、該貼付部の近傍における畝側面側を転動する畝側面ガイドローラを介して畝幅方向へガイドされるように構成された態様を例示する。
【００１８】
この構成によれば、前記貼付部は前記畝側面ガイドローラにより畝幅方向へガイドされているので、畝曲がり等の畝幅方向への畝の変形に追従するようになっている。また、該貼付部を介して前記機体の進行方向も畝幅方向への畝の変形に追従するようになっている。そして、前記位置寄せ部の近傍と、前記貼付部の近傍との両方に前記畝側面ガイドローラを設けると、畝幅方向への畝の変形に対する前記機体の進行方向の追従性をさらに向上させることができる。
【００１９】
前記位置寄せ部又は／及び前記貼付部は、該機体上方へ退避した退避位置へ移動可能に構成された態様を例示する。
【００２０】
この構成によれば、保護フィルムを貼り付ける作業を行わないときは、前記位置寄せ部又は／及び前記貼付部を前記退避位置に移動させることができるので、例えば前記機体を畝に沿って走行させるときでも、畝や畝上の苗と前記位置寄せ部又は／及び前記貼付部とが互いに干渉することがなく、前記機体をスムーズに走行させることができる。
【００２１】
前記位置寄せ部及び前記貼付部は、該機体上方へ退避した退避位置へ連動して移動可能に構成された態様を例示する。
【００２２】
この構成によれば、前記位置寄せ部及び前記貼付部を前記退避位置へ移動させる作業性を向上させることができる。
【発明の効果】
【００２３】
本発明に係る保護フィルム貼付機によれば、畝が変形している場合でも保護フィルムを安定的な品質で貼り付けることができるという優れた効果を奏する。
【発明を実施するための最良の形態】
【００２４】
図１〜図５は本発明を具体化した第一実施形態の保護フィルム貼付機１を示している。この保護フィルム貼付機１は、畝ＵのマルチフィルムＳ上に生長する苗Ｎを畝幅方向における所定位置Ｐ（図２参照）に寄せる位置寄せ部２と、左右両側辺に接着面Ｔａを備えた保護フィルムＴを畝Ｕに対して繰り出す繰出部３と、位置寄せ部２の後方で、苗Ｎを覆うように該保護フィルムＴをマルチフィルムＳ上に貼り付ける貼付部４と、手押し式ハンドル５とが、走行手段により畝長さ方向へ走行自在に支持された機体６に装備されている。本例では、走行手段として、畝両側における畝間をそれぞれ走行する左右一対の走行車輪７を用いている。なお、各図において、矢印Ｆは機体前側を指し示している。
【００２５】
機体６は、両端部がそれぞれ伸縮可能に構成された横フレーム１１と、該横フレーム１１の両側に上下高さ調節可能に取り付けられた一対の脚フレーム１２とを備えている。脚フレーム１２の下側先端部には走行車輪７が回転自在に軸支されており、横フレーム１１の両端部を伸縮させることにより走行車輪７の間隔が調節可能になっている。
【００２６】
位置寄せ部２は、基端側が横フレーム１１の左右に間隔をおいてそれぞれ上下揺動自在に軸支されて前方に延びる一対の前揺動アーム１３の先端部において、前後に間隔をおいて略平行に列設された前後一対の第１ブラシ１４及び第２ブラシ１５を備えている。図２に示すように、左右の第１ブラシ１４と左右の第２ブラシ１５は、それぞれ機体後方になるほど互いの間隔が徐々に狭くなるように略ハ字状に配設されており、機体６の前方への進行に伴って畝上に広がる苗Ｎを所定位置Ｐに寄せるようになっている。また、一対の第１ブラシ１４の後端部同士の間隔よりも、その後方にある一対の第２ブラシ１５の後端部同士の間隔を狭くすることにより、苗Ｎを無理なく確実に所定位置Ｐに寄せるようになっている。図１〜図３に示すように、各前揺動アーム１３の先端側は、畝上面側を転動する畝上面ガイドローラ１６を介して畝上の所定高さに支持されるように構成されるとともに、畝側面側を転動する畝側面ガイドローラ１７を介して畝幅方向へガイドされるように構成されている。また、各前揺動アーム１３は、繰出部３に係止されるように取り付けられた係止片１８により、所定角度よりも下方に回動しないようになっている。
【００２７】
繰出部３は、横フレーム１１に支持され、フィルムロールＲを回転自在に支持するロール支持部２１と、該ロール支持部２１の下方において横フレーム１１に支持され、フィルムロールＲから繰り出された保護フィルムＴを機体後方へガイドするガイドローラ２２とを備えている。ロール支持部２１は、横フレーム１１の両端側にそれぞれ前方へ突設された一対のロール支持アーム２３と、該両ロール支持アーム２３の先端に取り付けられたロール取付ホルダー２４とを備えている。両ロール取付ホルダー２４は、フィルムロールＲの芯部を挟持可能に、それぞれ機体内方へスライド自在に支持されるとともに、該機体内方へ付勢手段としてのバネ２５により付勢されている。
【００２８】
貼付部４は、基端側が横フレーム１１の中央部に上下揺動自在に軸支されて後方に延びる後揺動アーム２７の先端部に設けられた左右一対のフィルム圧着ローラ２８を備えている。図１、図２及び図４に示すように、フィルム圧着ローラ２８は、所定位置Ｐの左右に位置するようにそれぞれ配設されており、該両フィルム圧着ローラ２８は、後揺動アーム２７と略平行な軸２７ａを中心にして、機体６に対して左右に揺動自在に支持されている。後揺動アーム２７は、その基端側に固定された軸２９を中心に回動自在に支持されており、該軸２９には、回動レバー３０の中央部が固定されている。回動レバー３０は、前端側が付勢手段としての引張バネ３１により上方に付勢されており、後端側が後述する操作レバー３５にワイヤ３２を介して連結されている。
【００２９】
ハンドル５は、機体６の横フレーム１１の中央部において、後斜め上方に延びるように、傾斜角度調節可能に取り付けられている。ハンドル５の後端部には、操作レバー３５と、該操作レバー３５が握られた状態を固定又は解除するためのロックレバー３６が設けられている。そして、操作レバー３５を握ると、図５に示すように、ワイヤ３２、回動レバー３０、及び後揺動アーム２７を介してフィルム圧着ローラ２８が機体上方へ退避した退避位置Ｑ１に移動するようになっており、さらに、ロックレバー３６を操作することによりフィルム圧着ローラ２８を退避位置Ｑ１に固定することができるようになっている。
【００３０】
次に、本保護フィルム貼付機１の動作について説明する。本例では、いもの苗Ｎを保護フィルムＴで覆う場合であり、畝幅方向における所定位置Ｐとして畝幅方向の略中央部としている。まず、保護フィルム貼付機１の機体６が保護フィルム貼付対象の畝Ｕを跨ぐとともに畝長さ方向かつ進行方向を向くように配置する。このとき、ロックレバー３６は操作レバー３５の固定を解除した状態にしておく。次いで、保護フィルムＴの先端部をフィルムロールＲから引き出して、畝上面の所定位置Ｐを覆うように貼り付ける。次いで、ハンドル５を押して、機体６を前方に進行させる。すると、機体６の進行に伴って、位置寄せ部２の左右のブラシ１４，１５が苗Ｎを所定位置Ｐに寄せて行く。これと同時に、繰出部３から保護フィルムＴが引き出され、該苗Ｎを覆うように被せられ、貼付部４の両フィルム圧着ローラ２８により保護フィルムＴの両側辺の接着面ＴａがマルチフィルムＳに圧着されて貼り付けられて行くようになっている。
【００３１】
また、シート貼付作業を行わずに保護フィルム貼付機１を畝長さ方向へ走行させるときは、まず、ハンドル５を下方に押し下げて機体６を後方に倒すことにより、該機体６に対し相対的に貼付部４が退避位置Ｑ１になるようにする（操作レバー３５を握ることにより貼付部４を退避位置Ｑ１に移動させるようにしてもよい）。この状態をロックレバー３６により固定する。次いで、ハンドル５を操作することにより機体６の傾きを調節し、図５に示すように、貼付部４が畝上方に退避した状態になるとともに、位置寄せ部２も係止片１８により係止されることにより、畝上方の退避位置Ｑ２に退避した状態にする。この状態で、ハンドル５を押すと、機体６を楽に走行させることができるようになっている。
【００３２】
以上のように構成された本例の保護フィルム貼付機１によれば、畝Ｕが変形していても、位置寄せ部２及び貼付部４が略上下移動し、該変動を吸収するようになっている。このように、畝上面における苗Ｎ及び保護フィルムＴに対しそれぞれ位置寄せ部２及び貼付部４がそれぞれの機能を安定的に発揮することができる。
【００３３】
位置寄せ部２は、所定位置Ｐの左右に位置するようにそれぞれ配設されており、該両位置寄せ部２は、機体６に対して互いに独立に略上下移動自在に支持されているので、畝上面における左右両側の相対高さが変動しても、両位置寄せ部２が互いに独立に略上下移動し、該変動を吸収するようになっている。このため、畝上面における苗Ｎに対し両位置寄せ部２がそれぞれの機能を安定的に発揮するようになっている。
【００３４】
貼付部４は、所定位置Ｐの左右に位置するようにそれぞれ配設されており、該両貼付部４は、機体６に対して左右に揺動自在に支持されているので、機体６に対する畝上面の傾きが変動しても、両貼付部４が適宜左右に揺動し、該変動を吸収するようになっている。このため、畝上面における保護フィルムＴに対し両貼付部４がそれぞれの機能を安定的に発揮するようになっている。
【００３５】
位置寄せ部２は、畝上面ガイドローラ１６により畝上の前記所定高さに支持されているので、苗Ｎに過大な力が掛かることを防止し、該苗Ｎを傷めることを防止できる。
【００３６】
位置寄せ部２は畝側面ガイドローラ１７により畝幅方向へガイドされているので、畝曲がり等の畝幅方向への畝Ｕの変形に追従するようになっている。また、該位置寄せ部２を介して機体６の進行方向も畝幅方向への畝Ｕの変形に追従するようになっている。
【００３７】
貼付部４及び位置寄せ部２は、該機体上方へ退避した退避位置Ｑ１，Ｑ２へそれぞれ移動可能に構成されているので、これらを該退避位置Ｑ１，Ｑ２へ移動させることにより、例えば機体６を畝Ｕに沿って走行させるときでも、畝Ｕや畝上の苗Ｎと貼付部４とが互いに干渉することがなく、機体６をスムーズに走行させることができる。
【００３８】
次に、図８〜図１２は本発明を具体化した第二実施形態を示している。この保護フィルム貼付機４０は、以下に示す点において、主に第一実施形態と相違している。従って、同実施形態と共通する部分については、同一符号を付することにより重複説明を省く。
【００３９】
機体６は、図９及び図１１に示すように、その横フレーム１１に、左右に間隔をおいて下方へ突設された一対の下垂フレーム１１ａを備えている。また、機体６は、図８に示すように、上下に延びる一対の脚フレーム１２を備えている。各脚フレーム１２の上端部には、保護フィルムとしての紙シートＴが巻かれてなる予備の紙シートロールＲが搭載可能になっている。また、各脚フレーム１２の下端部には、走行車輪７がそれぞれ回転自在に軸支されている。本例では、脚フレーム１２が上下に直線的に延びており、ハンドル５から走行車輪７の回転軸までの距離が第一実施形態のものよりも長くなるので、ハンドル５の操作量に対する機体の反応が緩やかになる。これにより、一般に急激なハンドル操作が必要ない保護フィルム貼付作業においては、操縦性が向上する。
【００４０】
機体６の一側方側には、図８に示すように、略扇形に形成されたベースプレート４１が固定されており、該ベースプレート４１における扇形の略中心位置には、機体内方へ支軸４２が突設されている。支軸４２には、該軸回りに回動可能かつ該軸長さ方向へ傾動可能にスタンド４３が支持されている。スタンド４３は、それが支軸４２の軸長さ方向へ傾動しないようにする付勢手段としてのバネ４４によりベースプレート側へ付勢されており、スタンド４３のベースプレート側に突設された係止凸部４３ａをベースプレート４１の上端縁、下端縁、又はベースプレート４１に設けられた係止穴４１ａに係止することにより、機体６を地面に支持する下降位置（図８に実線で示す位置）や、上方に退避した上昇位置（図８に二点鎖線示す位置）等に位置決めするようになっている。スタンド４３の位置変更は、バネ４４に逆らってスタンド４３を支軸４２の軸長さ方向へ傾動させ、前記係止を解除することにより行うようになっている。
【００４１】
位置寄せ部２は、図１１に示すように、両下垂フレーム１１ａに回転自在に軸支され、横フレーム１１と平行に延びる横軸体４６と、前揺動アーム１３を昇降駆動するために、横軸体４６に中央部が固定された駆動レバー４７と、横軸体４６に対して一定角度範囲内で相対回動可能に外挿された一対の筒体４８とを備えている。一対の前揺動アーム１３は、一対の筒体４８に各基端側がそれぞれ固定されている。本例では、横軸体４６及び筒体４８の両方にそれらの径方向へ延びる貫通穴４６ａ，４８ａが設けられ、少なくともいずれか一方の貫通穴よりも小径に形成されたピン４９が該両貫通穴４６ａ，４８ａに挿入された状態で設けられることにより、横軸体４６に対して筒体４８が一定角度範囲内で相対回動可能となるように構成している。このようにして、本例の前揺動アーム１３は回動角度範囲が規制されるようになっており、第一実施形態における係止片１８を備えていない。また、本例の位置寄せ部２は、第一実施形態における畝上面ガイドローラ１６を備えておらず、前後一対の第１ブラシ１４及び第２ブラシ１５により、各前揺動アーム１３の先端側が畝上の所定高さに支持されるようになっている。
【００４２】
繰出部３は、図９及び図１０に示すように、紙シートロールＲを取り付けるためのロール取付ホルダー２４を機体外方へ移動させた状態で保持するストッパー手段を備えている。本例では、ロール取付ホルダー２４における機体外方側は、ロール支持アーム２３に設けられた貫通穴２３ａにスライド自在かつ回転自在に挿入されるとともに抜け止め２４ａが設けられており、該抜け止め２４ａのところにストッパ−手段としてのストッパー金具５１が取り付けられている。このストッパー金具５１は、先端部５１ａが機体内方へ向くように折曲形成されてなる略Ｌ字状に形成されており、図１０に二点鎖線で示すように、該先端部５１ａをロール支持アーム２３の機体外方側面に乗り上げさせることによって、ロール取付ホルダー２４を機体外方へ移動させた状態で保持するようにしており、これにより紙シートロールＲの取り付けを容易にできるようにしている。
【００４３】
貼付部４における軸２９には、機体前方へ延びる回動レバー３０が固定されている。回動レバー３０の先端側は、付勢手段としての引張バネ３１により上方に付勢されるとともに、駆動レバー４７の後端側に押し下げられるようになっている。また、両フィルム圧着ローラ２８の軸の先端部には、図８及び図９に示すように、ロール支持フレーム５３を介して、畝側面側を転動する畝側面ガイドローラ５４が支持されている。本例では、畝形状に応じて畝側面ガイドローラ５４の位置が適宜調節可能となるように、ロール支持フレーム５３は、フィルム圧着ローラ２８の軸の軸長さ方向及び軸周方向における取付位置が調節可能になっている。このように、本例の貼付部４は、該貼付部４の近傍における畝側面側を転動する畝側面ガイドローラ５４を介して畝幅方向へガイドされるように構成されている。
【００４４】
ハンドル５は、図８及び図１２に示すように、操作レバー３５の支軸の位置と、該操作レバー３５におけるワイヤ３２の連結位置を工夫することにより、第一実施形態におけるロックレバー３６を設けずに、操作レバー３５の状態が保持されるように構成している。この操作レバー３５は、ワイヤ３２を介して駆動レバー４７の前端側に連結されている。本例では、図８に示すように、操作レバー３５を前側に倒すと、ワイヤ３２が緩んで、駆動レバー４７の前端側が前方に回動し、横軸体４６、ピン４９、及び筒体４８を介して前揺動アーム１３が上下に回動可能となることにより、位置寄せ部２が使用位置になる。これとともに、駆動レバー４７の後端側が上がるので、回動レバー３０の先端側が上がり、後揺動アーム２７も上下に回動可能となることにより、貼付部４も使用位置になる。また、図１２に示すように、操作レバー３５を後側に倒すと、ワイヤ３２が張って駆動レバー４７の前端側が後方に引かれ、横軸体４６、ピン４９、及び筒体４８を介して前揺動アーム１３が上方に持ち上げられることにより、位置寄せ部２が退避位置Ｑ２になる。これとともに、駆動レバー４７の後端側が下がるので、回動レバー３０の先端側が押し下げられ、後揺動アーム２７が上方に持ち上げられることにより、貼付部４も退避位置Ｑ１になる。このように、位置寄せ部２及び貼付部４は、該機体上方へ退避した退避位置Ｑ２，Ｑ１へ連動して移動可能に構成されている。このため、第一実施形態とは異なり、位置寄せ部２及び貼付部４の両方が上方に退避するので、非作業中にハンドル５を押し下げて機体６の傾きを調節する必要がなく、作業者が作業中、非作業中に関わらず同じ姿勢でハンドル５の操作をすることができる。
【００４５】
本例の保護フィルム貼付機によれば、第一実施形態と同様の効果に加え、上記本例特有の効果を得ることができる。
【００４６】
なお、本発明は前記実施形態に限定されるものではなく、例えば以下のように、発明の趣旨から逸脱しない範囲で適宜変更して具体化することもできる。
（１）位置寄せ部２における左右のブラシをそれぞれ１列又は３列以上にすること。
（２）左右の畝側面ガイドローラ１７を省くこと。
（３）第二実施形態の保護フィルム貼付機４０に、第一実施形態における畝上面ガイドローラ１６を設けること。
【図面の簡単な説明】
【００４７】
【図１】本発明を具体化した第一実施形態に係る保護フィルム貼付機の側面図である。
【図２】同保護フィルム貼付機の平面図である。
【図３】同保護フィルム貼付機の畝上面ガイドローラ及び畝側面ガイドローラを示す正面図である。
【図４】同保護フィルム貼付機のフィルム圧着ローラを示す正面図である。
【図５】貼付部及び位置寄せ部を退避位置に移動させた状態における同保護フィルム貼付機の側面図である。
【図６】従来の保護フィルム貼付機の側面図である。
【図７】同保護フィルム貼付機の平面図である。
【図８】本発明を具体化した第二実施形態に係る保護フィルム貼付機の側面図である。
【図９】同保護フィルム貼付機の平面図である。
【図１０】同保護フィルム貼付機の正面図である。
【図１１】図９のＸＩ−ＸＩ線断面図である。
【図１２】貼付部及び位置寄せ部を退避位置に移動させた状態における同保護フィルム貼付機の側面図である。
【符号の説明】
【００４８】
１  保護フィルム貼付機
２  位置寄せ部
３  繰出部
４  貼付部
５  ハンドル
６  機体
７  走行車輪
１４  第１ブラシ
１５  第２ブラシ
１６  畝上面ガイドローラ
１７  畝側面ガイドローラ
１８  係止片
２１  ロール支持部
２２  ガイドローラ
２８  フィルム圧着ローラ
４０  保護フィルム貼付機
５４  畝側面ガイドローラ
Ｎ    苗
Ｐ    所定位置
Ｑ１  退避位置
Ｑ２  退避位置
Ｒ    フィルムロール
Ｓ    マルチフィルム
Ｔ    保護フィルム
Ｔａ  接着面
Ｕ    畝
【図１】
2007089559.tif 000003
【図２】
2007089559.tif 000004
【図３】
2007089559.tif 000005
【図４】
2007089559.tif 000006
【図５】
2007089559.tif 000007
【図６】
2007089559.tif 000008
【図７】
2007089559.tif 000009
【図８】
2007089559.tif 000010
【図９】
2007089559.tif 000011
【図１０】
2007089559.tif 000012
【図１１】
2007089559.tif 000013
【図１２】
2007089559.tif 000014